(57)【要約】【課題】起動時の表示むらの発生を軽減すると共に、表示パネルの初期化処理を効果的に行うことを可能とする表示装置およびその駆動回路、並びに駆動方法を提供する。【解決手段】画像表示を終了するために電源部１のメインスイッチを切ると、制御部２は、電源部１からのオフ信号入力により、装置１０が動作状態から非動作状態へ切り替わることを検知し、表示のための駆動制御を停止し、均一化部４に動作開始のための動作信号を入力する。均一化部４は、バックアップ電源３からの電力供給を受け、表示パネル６のいずれかの電極に均一化電圧Ｖｅｑｕ　を印加して全画素領域を一斉に放電させ、均一化処理を行う。全画素領域の荷電状態は、このとき蓄積される電荷によって均される。【選択図】　　　　図１
2004086076.tif 000002
【特許請求の範囲】
【請求項１】
複数の画素領域からなる表示面を有する表示パネルと、前記表示パネルの発光制御を行う駆動部とを備えると共に、表示に関する動作を行う動作状態と、表示に関する動作が停止され前記表示パネルが点灯されない非動作状態とを交互にとるように使用される表示装置であって、
前記表示パネルのすべての画素領域における荷電状態を均一にする均一化処理を施す機能を有する
ことを特徴とする表示装置。
【請求項２】
自身の状態が前記動作状態から前記非動作状態へと切り替わる場合に、前記非動作状態に入る前に前記均一化処理を施す
ことを特徴とする請求項１に記載の表示装置。
【請求項３】
プラズマ表示装置として構成され、
前記均一化処理として前記表示パネルの全画素領域を放電させる
ことを特徴とする請求項１に記載の表示装置。
【請求項４】
前記表示パネルは、対向配置される第１および第２の基板と、前記第１の基板の対向面上に対をなして並列するように設けられる維持電極と、前記第２の基板の対向面上に前記維持電極と交差して並列するように設けられるアドレス電極と
を備えたことを特徴とする請求項３に記載の表示装置。
【請求項５】
前記均一化処理は、全画素領域を前記対をなす維持電極の間で放電させることにより行われる
ことを特徴とする請求項４に記載の表示装置。
【請求項６】
前記均一化処理は、全画素領域を前記対をなす維持電極の一方と前記アドレス電極との間にて放電させることにより行われる
ことを特徴とする請求項４に記載の表示装置。
【請求項７】
前記均一化処理は、全画素領域を前記対をなす維持電極および前記アドレス電極の間にて放電させることにより行われる
ことを特徴とする請求項４に記載の表示装置。
【請求項８】
一回の画面表示を
荷電状態を均一化するために全画素領域を放電させるリセット動作と、
発光させる画素領域にのみ選択的に放電用の荷電粒子を滞留させるために、各画素領域を発光／非発光に応じて放電させるアドレス動作と、
画像表示を行うために、予め発光画素に選択された画素領域のみを放電させるサスティン動作とによって行うと共に、
前記均一化処理を、前記リセット動作、アドレス動作およびサスティン動作の一連の動作によって行うように構成されている
ことを特徴とする請求項３に記載の表示装置。
【請求項９】
前記均一化処理は、前記アドレス動作において全画素領域を発光させる画素領域として選択し、全白の画面を表示することによって行われる
ことを特徴とする請求項８に記載の表示装置。
【請求項１０】
前記均一化処理は、前記アドレス動作において全画素領域を発光しない画素領域として選択し、全黒の画面を表示することによって行われる
ことを特徴とする請求項８に記載の表示装置。
【請求項１１】
さらに、
前記非動作状態から前記動作状態に入った直後に、前記表示パネルのすべての画素領域を活性化させる初期化処理を施す機能を有する
ことを特徴とする請求項１に記載の表示装置。
【請求項１２】
複数の画素領域からなる表示面を有する表示パネルを備えると共に、表示に関する動作を行う動作状態と、表示に関する動作が停止されて前記表示パネルが点灯されない非動作状態とを交互にとるように使用される表示装置に適用される駆動回路であって、
前記表示パネルのすべての画素領域における荷電状態を均一にする均一化処理を施す均一化手段
を備えたことを特徴とする駆動回路。
【請求項１３】
前記表示装置の状態が、前記動作状態から前記非動作状態へと切り替わることを検知する状態変化検知手段
を備えたことを特徴とする請求項１２に記載の駆動回路。
【請求項１４】
前記表示装置がプラズマ表示装置として構成されており、
前記均一化手段は、前記表示パネルの全画素領域を放電させる
ことを特徴とする請求項１２に記載の駆動回路。
【請求項１５】
前記プラズマ表示装置は、表示パネルに、
対向配置される第１および第２の基板と、前記第１の基板の対向面上に対をなして並列するように設けられる維持電極と、前記第２の基板の対向面上に前記維持電極と交差して並列するように設けられるアドレス電極とを備えている
ことを特徴とする請求項１４に記載の駆動回路。
【請求項１６】
前記均一化手段は、前記対をなす維持電極の各々に所定電圧を印加することにより前記均一化処理を行う
ことを特徴とする請求項１５に記載の駆動回路。
【請求項１７】
前記均一化手段は、前記対をなす維持電極の一方と前記アドレス電極とに所定電圧を印加することにより前記均一化処理を行う
ことを特徴とする請求項１５に記載の駆動回路。
【請求項１８】
前記均一化手段は、前記対をなす維持電極および前記アドレス電極に所定電圧を印加することにより前記均一化処理を行う
ことを特徴とする請求項１５に記載の駆動回路。
【請求項１９】
前記均一化手段は、
荷電状態を均一化するために全画素領域を放電させるリセット動作と、
発光させる画素領域にのみ選択的に放電用の荷電粒子を滞留させるために、各画素領域を発光／非発光に応じて放電させるアドレス動作と、
画像表示を行うために、予め発光画素に選択された画素領域のみを放電させるサスティン動作とによって一回の画面表示を行うと共に、
前記均一化処理を、前記リセット動作、アドレス動作およびサスティン動作の一連の動作によって行うように構成されている
ことを特徴とする請求項１４に記載の駆動回路。
【請求項２０】
前記均一化手段は、前記アドレス動作において全画素領域を、発光させる画素領域として選択する
ことを特徴とする請求項１９に記載の駆動回路。
【請求項２１】
前記均一化手段は、前記アドレス動作において全画素領域を、発光させない画素領域として選択する
ことを特徴とする請求項１９に記載の駆動回路。
【請求項２２】
さらに、
前記動作状態の開始直後に前記表示パネルのすべての画素領域を活性化させる初期化処理を遂行する
ことを特徴とする請求項１２に記載の駆動回路。
【請求項２３】
複数の画素領域からなる表示面を有する表示パネルと、前記表示パネルの発光制御を行う駆動部とを備えると共に、表示に関する動作を行う動作状態と、表示に関する動作が停止されて前記表示パネルが点灯されない非動作状態とを交互にとるように使用される表示装置の駆動方法であって、
前記表示パネルのすべての画素領域における荷電状態を均一にする均一化処理を施す
ことを特徴とする表示装置の駆動方法。
【請求項２４】
前記表示装置の状態が、前記動作状態から前記非動作状態へと切り替わることを検知し、前記非動作状態の開始前に前記均一化処理を施す
ことを特徴とする請求項２３に記載の表示装置の駆動方法。
【請求項２５】
前記表示装置がプラズマ表示装置である場合に、
前記均一化処理として前記表示パネルの表示面全面を放電させる
ことを特徴とする請求項２３に記載の表示装置の駆動方法。
【請求項２６】
さらに、前記表示パネルが、対向配置される第１および第２の基板と、前記第１の基板の対向面上に対をなして並列するように設けられる維持電極と、前記第２の基板の対向面上に前記維持電極と交差して並列するように設けられるアドレス電極とを備えたプラズマ表示装置に適用される
ことを特徴とする請求項２５に記載の表示装置の駆動方法。
【請求項２７】
前記均一化処理を、前記対をなす維持電極の間にて放電させることにより行う
ことを特徴とする請求項２６に記載の表示装置の駆動方法。
【請求項２８】
前記均一化処理を、前記対をなす維持電極の一方と前記アドレス電極との間にて放電させることにより行う
ことを特徴とする請求項２６に記載の表示装置の駆動方法。
【請求項２９】
前記均一化処理を、前記対をなす維持電極および前記アドレス電極の間にて放電させることにより行う
ことを特徴とする請求項２６に記載の表示装置の駆動方法。
【請求項３０】
さらに、一回の画面表示を、
荷電状態を均一化するために全画素領域を放電させるリセット動作と、
発光させる画素領域にのみ選択的に放電用の荷電粒子を滞留させるために、各画素領域を発光／非発光に応じて放電させるアドレス動作と、
画像表示を行うために、予め発光画素に選択された画素領域のみを放電させるサスティン動作とによって行うと共に、
前記均一化処理を、前記リセット動作、アドレス動作およびサスティン動作の一連の動作によって行う
ことを特徴とする請求項２５に記載の表示装置の駆動方法。
【請求項３１】
前記均一化処理を、
前記アドレス動作において全画素領域を発光させる画素領域に選択し、全白の画面を表示することによって行う
ことを特徴とする請求項３０に記載の表示装置の駆動方法。
【請求項３２】
前記均一化処理を、
前記アドレス動作において全画素領域を発光しない画素領域に選択し、全黒の画面を表示することによって行う
ことを特徴とする請求項３０に記載の表示装置の駆動方法。
【請求項３３】
さらに、
前記非動作状態から動作状態に入った直後に、前記表示パネルのすべての画素領域を活性化させる初期化処理を施す
ことを特徴とする請求項２３に記載の表示装置の駆動方法。
【発明の詳細な説明】
【０００１】
【発明の属する技術分野】
本発明は、再起動時の画像表示に停止直前の表示動作が影響を与える表示装置およびその駆動回路、並びにその駆動方法に係り、特に、プラズマ表示装置とその駆動回路、駆動方法に関する。
【０００２】
【従来の技術】
近年、放送メディアは高精細化、ディジタル化されつつあり、これに適した次世代型フラットパネルディスプレイの開発が進められている。その表示方式は、液晶表示を始めとして数種あり、なかでもプラズマ放電を用いて発光表示を行うプラズマディスプレイ（ＰＤＰ：Ｐｌａｓｍａ　Ｄｉｓｐｌａｙ　Ｐａｎｅｌ）　は、従来、テレビジョン受像機やコンピュータ用ディスプレイにおいて広く用いられてきた陰極線管（ＣＲＴ：Ｃａｔｈｏｄｅ−Ｒａｙ　Ｔｕｂｅ）では実現が難しいとされる薄型・大画面化が可能であり、特に大型ディスプレイへの今後の展開が期待されている。
【０００３】
ＰＤＰの表示パネルは、図１３に示したように、２枚のガラス基板１０１，１０２が隔壁で仕切られた放電空間を介して対向する構造をとる。そのうち、表示面側に位置する前面ガラス基板１０１の対向面側には、維持電極１０７（１０７Ｘ，１０７Ｙ）が対をなして配列され、背面ガラス基板側には、維持電極１０７と交差する方向にアドレス電極１０３が配列されている。これら維持電極１０７とアドレス電極１０３とが交差する放電領域は各画素に対応しており、画素同士を画定するために放電空間に隔壁１０５が設けられている。また、各画素の放電領域には蛍光体１０６が塗布形成され、放電空間には放電ガスが充填されている。原理的には、電位差が放電開始電圧を超えた電極間では、その間の放電ガス中でプラズマ放電が生じるので、ＰＤＰでは、これを利用して発光表示や発光画素の選択を行うようになっている。そのうち、表示のための発光は維持電極対の間で行われる。すなわち、維持電極対に電圧を印加すると、ガス中にプラズマ放電が生じて紫外線が放出され、これが蛍光体に当たることで発光する。
【０００４】
また、表示画素の選択は、選択画素における維持電極とアドレス電極との間の放電により、その画素の壁電荷を蓄積あるいは消去することで行われる。図１４は、ｍ×ｎドットの画素が設けられたＰＤＰの電極構造を示す概略構成図である。対をなす維持電極１０７Ｘ，１０７Ｙが各ｎ本（Ｘ１，Ｙ１，Ｘ２，Ｙ２，…，Ｘｎ，Ｙｎ）、アドレス電極１０３Ａがｍ本（Ａ１，Ａ２，…，Ａｍ）設けられており、維持電極１０７Ｘ，１０７Ｙの対とアドレス電極１０３Ａとが構成するマトリクスの交点にあたる領域（図中の点線で囲まれた領域）が画素に対応している。よって、各画素のアドレスは、維持電極１０７Ｙとアドレス電極１０３Ａの行列で表現でき、（１，１）…（Ｙｎ，Ａｍ）というように一意に決定される。そのため、所定の画素領域に選択的に放電させるには、維持電極１０７Ｙ，アドレス電極１０３Ａの両方に電圧が印加されて初めて両電極間が放電開始電圧に達して放電するようにしておけばよい。このとき、維持電極１０７Ｙ，アドレス電極１０３Ａの双方に印加する電圧の値は、重畳時に放電開始電圧を超えるような組み合わせで設定される。
【０００５】
画素ごとの発光制御は、通常３段階で行われ、各動作期間を動作内容にちなんでリセット期間，アドレス期間およびサスティン（放電維持）期間と呼ぶ。選択消去方式を例にとると、各期間中に画素を構成する３電極には、図１５に示したようなパルス電圧が印加される。リセット期間では、全ての維持電極１０７Ｘ，１０７Ｙの間で放電させ（リセット放電）、全画素領域内に壁電荷を一様に蓄積させることにより、それ以前に放電に荷担する荷電粒子量の差として書き込まれていた画素情報を消去し、画面全体を均一な荷電状態とする。
【０００６】
次のアドレス期間では、表示パネル内の発光画素を選択する。すなわち、既に蓄積されている壁電荷を、発光画素では残し、非発光画素では放電によって消去して２値状態を創る（アドレス放電）。そのためには、非発光画素に対応する位置の維持電極１０７Ｙとアドレス電極１０３Ａに共にパルス電圧を印加し、その放電を制御する。
【０００７】
具体的には、維持電極１０７Ｙ（Ｙ１，Ｙ２，…，Ｙｎ）に対しては順次走査パルスを印加して画素列を走査し、走査される列のｍ個の画素に対応するアドレス電極１０３Ａ（Ａ１，Ａ２，…，Ａｍ）それぞれには、各画素ごとの発光／非発光のデータから生成されたアドレスパルスを、維持電極１０７Ｙ側の走査タイミングに合わせて印加してゆく（この場合は非発光画素にパルス印加する）。この動作は、通常、データ書き込みと呼ばれ、動作全体は各画素位置にデータを割り付けるという意味からアドレッシングという。また、アドレッシング時の役割から、維持電極１０７Ｙを走査電極、アドレス電極１０３Ａをデータ電極ともいう。こうして、アドレス期間では、非発光画素にアドレス放電が生じ、その壁電荷が消去される。
【０００８】
次に、サスティン期間では、全画素の維持電極１０７の対に交流パルス（サスティンパルス）を印加する。この際にも、画素領域内の壁電荷がバイアスとしてはたらくため、壁電荷が残存する発光画素のみが選択的に放電開始電圧に達し、放電（サスティン放電）が発生・維持され、サスティン期間中、発光が継続される。
【０００９】
なお、選択書き込み方式は、動作原理は選択消去方式と同様であるが、リセット期間の放電によって全画素領域の壁電荷を一様に消去しておき、アドレス期間の放電により発光画素に対して壁電荷を蓄積するものである。
【００１０】
【発明が解決しようとする課題】
こうしたＰＤＰでは、動作を停止させ、再び起動させたときに、表示画像の上に、停止直前の表示画像の型が模様のように浮き上がってみえる「表示むら」が発生することがあった。この原因は、各画素の荷電状態が停止直前の発光／非発光によって異なるためであると考えられている。すなわち、停止した時点において、発光画素の領域内には放電によるプライミング粒子が残っているが、非発光画素の領域内にはそうした荷電粒子が残されていない。この違いが、次回の表示動作時には画素ごとの放電開始電圧の差として表れ、画素の光りやすさが停止前の表示状態に左右される結果、表示画像に輝度むらが生じるというわけである。
【００１１】
ところで、ＰＤＰなどのディスプレイでは、非動作期間、すなわち使用せずに放置された期間が長いと、表示パネル内の画素領域が通常の駆動電圧では動作しなくなるという問題があった。この原因は、放電を休止している間に画素領域内で不活性化が進行するためと考えられている。すなわち、維持電極１０７の表面に、放電により生じた不純物が時間の経過と共に堆積し、より高い放電開始電圧でないと放電できなくなる。そのため、ＰＤＰにおいては、電源投入直後の画像表示を行う前に、通常の駆動電圧より高い電圧を印加して強制的に放電を起こし、画素領域を活性化させる処理、いわゆる初期化処理がしばしば施される。初期化処理では、全画素領域から堆積した不純物を取り払われるため、発光しにくい画素領域の数が低減され、以後の表示動作を円滑に行うことができる。
【００１２】
しかしながら、こうした表示以外の放電を電源投入のたびに繰り返すことは、表示パネルに対し必要以上にストレスをかけることになる。しかも、初期化の際には、不活性化し、荷電粒子も残存していない画素領域を無理やり放電させるために、かなり高い電圧を印加しなければならない。従来では、この初期化に伴う高圧の印加が、表示パネル内部の蛍光体、誘電体さらには電極に損傷を与え、装置の寿命を縮める要因となっていた。また、こうした高圧印加は、消費電力の点から見ても好ましくない。
【００１３】
本発明はかかる問題点に鑑みてなされたもので、その目的は、起動時の表示むらの発生を軽減すると共に、表示パネルの初期化処理を効果的に行うことを可能とする表示装置およびその駆動回路、並びに駆動方法を提供することにある。
【００１４】
【課題を解決するための手段】
請求項１ないし請求項１１のいずれか一に記載の表示装置は、複数の画素領域からなる表示面を有する表示パネルと、表示パネルの発光制御を行う駆動部とを備えると共に、表示に関する動作を行う動作状態と、表示に関する動作が停止されて表示パネルが点灯されない非動作状態とを交互にとるように使用される表示装置であって、表示パネルのすべての画素領域における荷電状態を均一にする均一化処理を施す機能を有するものである。
【００１５】
請求項１２ないし請求項２２のいずれか一に記載の駆動回路は、複数の画素領域からなる表示面を有する表示パネルを備えると共に、表示に関する動作を行う動作状態と、表示に関する動作が停止されて表示パネルが点灯されない非動作状態を交互にとるように使用される表示装置に適用される駆動回路であって、表示パネルのすべての画素領域における荷電状態を均一にする均一化処理を施す均一化手段を備えているものである。
【００１６】
請求項２３ないし請求項３３のいずれか一に記載の表示装置の駆動方法は、複数の画素領域からなる表示面を有する表示パネルと、前記表示パネルの発光制御を行う駆動部とを備えると共に、表示に関する動作を行う動作状態と、表示に関する動作が停止されて表示パネルが点灯されない非動作状態とを交互にとるように使用される表示装置の駆動方法であって、表示パネルのすべての画素領域における荷電状態を均一にする均一化処理を施すようにしたものである。
【００１７】
請求項１ないし請求項１１のいずれか一に記載の表示装置、または請求項１２ないし請求項２２のいずれか一に記載の駆動回路、または請求項２３ないし請求項３３のいずれか一に記載の表示装置の駆動方法では、均一化処理により、表示パネルの全面すなわち全画素領域における荷電状態が均一化される。処理後の各画素領域には、処理前の荷電状態、つまり画像情報は引き継がれることがなく、次回に表示すべき画像が適正に表示される。
【００１８】
また、請求項２に記載の表示装置、または請求項１３に記載の駆動回路、または請求項２４に記載の表示装置の駆動方法は、均一化処理を非動作状態に入る前に施すようにしたものである。この表示装置または駆動回路または駆動方法では、動作状態にある表示装置が完全に停止される非動作状態に入る前に均一化処理が施される。非動作状態を経ると、画素領域には不純物の堆積などによる状態変化が生じ、電荷量制御は十分に施され難くなるが、この場合の均一化処理は非動作状態に入る前に行われる。
【００１９】
さらに、請求項１１に記載の表示装置、または請求項２２に記載の駆動回路、または請求項３３に記載の表示装置の駆動方法は、非動作状態から動作状態に入った直後に、表示パネルのすべての画素領域を活性化させる初期化処理を施すものである。この表示装置または駆動回路または駆動方法では、均一化処理が施される一方で、表示装置が非動作状態から動作状態に入った直後に初期化処理が施される。均一化処理において、電荷蓄積によって荷電状態を均一化する場合には、初期化処理における画素の点灯むらが軽減される。
【００２０】
【発明の実施の形態】
以下、本発明の実施の形態について図面を参照して詳細に説明する。
【００２１】
［第１の実施の形態］
図１は、本発明の第１の実施の形態に係るプラズマ表示装置の構成を示すブロック図である。このプラズマ表示装置１０は、表示パネル６と、外部からの電力供給を受けて表示パネル６の発光制御を行う回路部分からなる。回路部分は、外部電力による電圧供給源である電源部１，表示および均一化処理のための制御処理を行う制御部２，電源部１と外部電源との接続が遮断されてからの所定期間、制御部２や均一化部４に電力を供給するバックアップ電源３，表示パネル６に均一化処理を施す均一化部４、および通常の表示動作を行うように表示パネル６を駆動する駆動部５から構成されている。なお、同図では、各構成要素に対する制御線のみ示し、電源部１からの電力供給ラインは省略されている。
【００２２】
電源部１は、例えば一般家庭用のＡＣ１００Ｖ電源から電力供給を受け、駆動に必要な電圧を生成・供給するものである。また、電源部１は、装置１０の電源のメインスイッチを有しており、使用者がこれをオン／オフすることにより外部からの電源供給が行われたり停止されたりするようになっている。これにより、装置１０において、表示に関する動作を行う動作状態と、表示に関する動作が停止されて表示パネル６が点灯されることのない非動作状態とが交互に実現される。また、電源部１は、制御部２に対し、スイッチがオンされた（電力供給の開始）時点でオン信号を出力すると共に、スイッチがオフされた（電力供給の停止）時点でオフ信号を出力するようになっている。
【００２３】
制御部２は、電源部１から入力されるオン／オフ信号に基づいて均一化部４，バックアップ電源３に対し制御信号を生成・出力するようになっている。すなわち、制御部２は、電源部１からオフ信号が入力されると、均一化部４に処理開始の信号を入力し、均一化部４は、これをきっかけにバックアップ電源３からの電力を使用して均一化処理を行うようになっている。また、制御部２は、電源部１からオン信号が入力されると、バックアップ電源３に充電開始の制御信号を入力し、これをきっかけにバックアップ電源３は次回の停止に備えて電力を蓄えるようになっている。
【００２４】
また、バックアップ電源３は、電源部１からの電力供給が絶たれたのちに均一化処理を行うことができるように、少なくとも制御部２，均一化部４に対し電力を供給するものである。よって、バックアップ電源３としては、例えば、均一化処理に十分量の電力を蓄えることが可能な大容量コンデンサなどを用いることができる。あるいは、使用者が装置外より電源オフの操作をしてから、実際に電源部１を停止するまでに遅延を設け（例えば数秒）、プラズマ表示装置１０に電力を供給する遅延期間内に均一化処理を行うようにしてもよい。
【００２５】
均一化部４は、表示パネル６のすべての画素領域における荷電状態を均一にするための均一化処理を行うものであり、制御部２より動作信号を入力されたときにのみ駆動されるようになっている。この均一化処理は、表示パネル６の各電極に均一化電圧Ｖｅｑｕを印加することで行われ、表示パネル６の全面に均一に電荷を蓄積させるというものである。均一化電圧Ｖｅｑｕは、例えば通常駆動におけるリセット期間の放電電圧（リセット電圧）と同程度あるいはそれ以上に設定される。これにより、表示パネル６に画素領域ごとの荷電量として保持されていた均一化処理以前の表示画像の情報が消去される。均一化電圧Ｖｅｑｕの値は、例えば通常の表示動作におけるリセット放電と同程度であってよく、電圧の印加時間や波形も適宜に選択されてよい。
【００２６】
なお、本実施の形態では、表示パネル６の全面に一定量の電荷を蓄積するようにしたが、均一化処理では荷電状態が一定であればよく、表示パネル６の全面にわたって均等に電荷を消去するようにしてもよい。また、一般家庭等での使用においては、均一化化処理に時間をかけると実用性に欠けるので、この処理は遅くとも数秒以内に収めることが望ましい。
【００２７】
駆動部５は、表示パネル６において表示を行うための駆動回路部である。より具体的には、表示パネル６の電極に所定のタイミングで駆動電圧Ｖｄｓｐ　を印加するものであり、これにより、表示パネル６の所定画素で放電させ、画素ごとの発光制御と発光表示とが行われる。なお、実際の駆動電圧は、画素選択や発光表示の動作目的に応じて電圧値や波形が異なるが、ここでは便宜上、駆動電圧Ｖｄｓｐ　を、「駆動期間中に表示パネル６に印加される電圧」として一意的に用いている。また、こうした表示に必要な画像情報の入力およびその処理については、この駆動部５を含め、従来と同様に構成された回路および駆動方法を用いて実現されるが、ここでは詳細な説明は省略する。
【００２８】
表示パネル６は、例えば、一般的なＰＤＰの表示パネルとして構成されていればよく、ここでは、維持電極１７（１７Ｘ．１７Ｙ）が対をなして並列するように設けられ、維持電極１７に交差して並列するようにアドレス電極１３が設けられている。これら維持電極１７とアドレス電極１３との交差領域が、各画素領域である。また、維持電極１７，アドレス電極１３には、均一化部４，駆動部５のいずれかから電圧が印加されるようになっている。均一化部４からの均一化電圧Ｖｅｑｕ　は、例えば、（１）維持電極１７Ｘ，１７Ｙまたは（２）維持電極１７Ｙとアドレス電極１３の２電極、もしくは（３）維持電極１７Ｘ，１７Ｙおよびアドレス電極１３の３電極に対して印加される。
【００２９】
なお、ここでは、電源部１，制御部２が本発明の「状態変化検知手段」に対応し、制御部２および均一化部４が本発明の「均一化手段」に対応している。
【００３０】
次に、プラズマ表示装置１０の動作について、図１および図２，図３等を参照して説明する。図２は、装置１０の動作手順を示したフローチャートである。図３は、この一連の動作に対応する駆動シーケンスであり、表示パネルの一電極に印加される電圧波形を模式的に示したものである。
【００３１】
当初、プラズマ表示装置１０は電源オフの状態にあり、表示パネル６が表示動作を行うことのない非動作期間が続いているものとする。そこへ電源部１のメインスイッチを入れると、電力供給が開始され、装置１０が起動する（ステップＳ１１）。電源部１は、電力供給の開始と共に制御部２にオン信号を出力する。制御部２は、オン信号が入力されると、バックアップ電源３に充電開始の信号を入力する。バックアップ電源３は、停止に備えて電力を蓄える。
【００３２】
制御部２はまた、直ちに表示動作を行うよう駆動部５の制御を開始する。駆動部５は、制御部２の制御の下に表示パネル６に駆動電圧Ｖｄｓｐ　を印加し、通常どおりの駆動表示を行う。こうして、装置１０は通常の駆動状態に入る（ステップＳ１２）。これは同時に、表示に関する動作を行う動作状態の始まりである。
【００３３】
その後、画像表示を終了する場合に、電源部１のメインスイッチを切る（ステップＳ１３）。電源部１は、装置１０への外部からの電力供給を停止すると共に、制御部２にオフ信号を出力する。制御部２は、オフ信号が入力されると、装置１０が動作状態から非動作状態へ切り替わることを検知し、バックアップ電源３に電力供給開始の信号を入力すると共に、表示のための駆動制御を停止し、均一化部４に動作開始のための動作信号を入力する。なお、バックアップ電源３を用いない場合には、電源部１のメインスイッチが作動してから電力供給を遮断するまでに一定の遅延時間を設定しておき、この遅延時間内に均一化部４を動作させるようにする。
【００３４】
動作信号が入力された均一化部４は、バックアップ電源３からの電力供給を受け、表示パネル６に均一化処理を行う（ステップＳ１４）。均一化処理は、表示パネル６のすべての画素領域における所定の電極、例えば、（１）維持電極１７Ｘ，１７Ｙまたは（２）維持電極１７Ｙとアドレス電極１３の２電極、もしくは（３）維持電極１７Ｘ，１７Ｙおよびアドレス電極１３の３電極に均一化電圧Ｖｅｑｕ　を印加し、電圧が印加された電極間で放電させることにより行われる。なお、（１）〜（３）のそれぞれの場合において、均一化電圧Ｖｅｑｕ　は、例えば交流パルスとして図４〜図６のように各電極に順次印加するとよい。
【００３５】
これにより、全画素領域にて一斉に放電が生じ、この放電終了後には、全画素領域に均一に電荷が蓄積される。
【００３６】
なお、装置１０は、均一化処理までは動作状態にあるが、均一化処理が終了してバックアップ電源３からの電源供給が停止すると（ステップＳ１５）、完全に電源供給が絶たれ、非動作状態に入る。
【００３７】
また再び電源部１のメインスイッチを入れ、電源部１から制御部２に次のオン信号が入力されると（ステップＳ１６；Ｙ）、装置１０は動作状態に入り、通常の駆動表示（ステップＳ１２）を始めとする上述の一連の動作を繰り返す。この場合、駆動前の表示パネル６には、均一化処理によって全面に均一に電荷が蓄積されており、放電しやすさに画素領域ごとのばらつきがない状態となっている。よって、駆動開始時より、画面全体をむらなく放電させることができる。
【００３８】
ちなみに、こうした画面全体で荷電状態を均一化する処理は、従来のプラズマ表示装置では行われていなかった。というのも、いわゆる初期化処理の強い放電には少なからず電荷を均一に分布させる作用があると考えられ、初期化処理によって、画素領域の活性化と共に均一化もある程度は達成されるとみなされてきたためである。しかし、その効果はあくまで不充分、不安定なものであって、初期化処理に均一化の効果を求めようとすると、単に不純物を除くための処理で兼用させるのでは済まなくなる。厳密に荷電状態が均一となるように制御するには、電荷が蓄積されていない画素領域まで十分に放電させねばならず、従来の初期化処理よりもさらに高圧の印加（あるいは長時間の処理）が必要となってくる。これに対し、本実施の形態は、初期化処理とは別に均一化のための放電処理を施すことで、より確実に荷電状態の制御を行うようにしたものである。
【００３９】
また、初期化処理は、名前が示すとおり、非動作状態から動作状態に入った直後に行うものであるが、この均一化処理は、初期化処理とは別途施すのであるから、処理のタイミングは特に限定されなくともよい。ここでは、均一化処理を表示動作（通常駆動）に引き続いて行うようにしたので、プライミング効果により、均一化電圧Ｖｅｑｕは初期化処理時の放電電圧ほど高くなくとも容易に、しかも十分に放電させることができる。
【００４０】
さらに、ここでの均一化処理は、全画素領域に電荷を蓄積するのであるから、放電を起こりやすくする作用を有している。続く非動作状態においては各画素領域で不活性化が進行すると考えられるが、それ以前に電荷を蓄積しておくことで、放電が開始されやすくなる分、再起動時の放電負荷は軽減される。よって、この均一化処理は、駆動表示を円滑に行うことに対しても寄与することが期待される。
【００４１】
このように本実施の形態によれば、表示動作が停止されて非動作状態に入ることを、電源部１のメインスイッチがオフされることで制御部２が検知し、非動作状態に入る前に、均一化処理として均一化部４が表示パネル６に均一化電圧Ｖｅｑｕ　を印加して生じさせた放電により全画素領域に電荷を均一に蓄積するようにしたので、再起動した時点の表示パネル６では、画素領域ごとの荷電状態が蓄積電荷によって均されている。したがって、再起動時には、駆動開始時点より画面全体をむらなく放電させることができ、表示むらを防止することができる。また、一般的に、非動作状態を経ると、画素領域に不純物の堆積などによる状態変化が生じるためにこうした電荷量制御は容易に施され難くなるが、この場合の均一化処理は非動作状態に入る前に行われるので、容易かつ確実に全画素領域の電荷量を均一化することができる。
【００４２】
なお、本実施の形態では、均一化処理によって各画素領域には電荷を蓄積するようにしたが、均一化処理とは荷電状態を均一にするために行うものであり、全画素領域から均等に電荷を消去するようにしてもよい。
【００４３】
［第２の実施の形態］
図７は、本発明の第２の実施の形態に係るプラズマ表示装置の構成を示すブロック図である。このプラズマ表示装置２０は、均一化処理を通常の表示のための駆動回路を用いて行うものであり、通常具備される駆動回路とは別に均一化処理だけのための駆動回路を備えてはいない。すなわち、プラズマ表示装置２０は、均一化部４がないことを除けば第１の実施の形態のプラズマ表示装置１０と同様の構成である。よって、同様の構成要素については同一の符号を付し、その説明を適宜省略する。
【００４４】
第１の実施の形態では詳述しなかったが、プラズマ表示装置１０，２０にはそれぞれ、映像処理部７が設けられている。こうした表示装置では、通常、外部入力されるＮＴＳＣ信号等の映像信号をディジタル化し、各種の信号処理を施すことによって、最終的に表示パネル６の各画素に対応するビットデータとしてのデータ信号が生成されるが、ここでは、こうした機能を、映像処理部７が担っている。この映像処理部７で映像信号をもとに生成されたデータ信号は、駆動部５に出力される。駆動部５では、入力されるデータ信号に対応する駆動電圧が生成され、アドレッシング時に維持電極１７Ｙの走査に呼応してアドレス電極１３に印加される。通常駆動時には、こうして各画素の発光／非発光の情報が、アドレス放電による電荷状態の変化として対応する画素領域に書き込まれ、映像信号として入力される画像が表示パネル６の画面上に表示されるようになっている。
【００４５】
本実施の形態の映像処理部７は、さらに、均一化処理のためのデータ信号Ｓｗ（すべての画素領域に対し「１」のビットデータ）をも生成し、駆動部５に出力するようになっている。すなわち、ここでの均一化処理は、通常の駆動表示において画面全体を発光させる全面白表示の場合の動作によって遂行される。全画素領域で放電させることで、電荷状態を均一にすることができるためである。具体的には、一画面を表示するための一連の放電動作、リセット放電、アドレス放電およびサスティン放電を行うが、そのうちのアドレス放電が、通常駆動時とは異なり、映像信号由来のデータ信号ではなくデータ信号Ｓｗに基づいて行われる。
【００４６】
また、制御部２は、均一化処理の際に映像処理部７に制御信号Ｓｃを出力すると共に、均一化処理全体の動作を制御するようになっている。映像処理部７は、この制御信号Ｓｃの入力に応じてデータ信号Ｓｗを生成・出力する。なお、ここでは、制御部２および映像処理部７が本発明の「均一化手段」に対応している。
【００４７】
次に、プラズマ表示装置２０の動作について、図７および図８，図９を参照して説明する。図８は、装置２０の動作手順を示したフローチャートである。図９は、この一連の動作に対応する駆動シーケンスであり、表示パネルの一電極に印加される電圧波形を模式的に示したものである。
【００４８】
当初、プラズマ表示装置２０は電源オフの状態にあり、表示パネル６が表示動作を行うことのない非動作期間が続いているものとする。そこへ電源部１のメインスイッチを入れると、電力供給が開始され、装置２０が起動する（ステップＳ２１）。
【００４９】
電源部１は、電力供給の開始と共に制御部２にオン信号を出力する。制御部２は、オン信号が入力されると、直ちに表示動作を行うよう駆動部５の制御を開始する。駆動部５は、制御部２の制御の下に表示パネル６に駆動電圧Ｖｄｓｐ　を印加し、通常どおりの駆動表示を行う（ステップＳ２２）。このとき、各画素領域に対する表示データの書き込みは、映像処理部７から駆動部５に入力する表示信号に基づいたアドレッシング動作によって行う。こうして、装置２０は、表示に関する動作を行う動作状態に入る。
【００５０】
その後、画像表示を終了する場合に、電源部１のメインスイッチを切る（ステップＳ２３）。電源部１は、装置１０への外部からの電力供給を停止すると共に、制御部２にオフ信号を出力する。制御部２は、オフ信号が入力されると、装置２０が動作状態から非動作状態へ切り替わることを検知し、バックアップ電源３に電力供給開始の信号を入力すると共に、表示のための駆動制御を停止し、駆動部５，映像処理部７に対し、改めて均一化処理のための駆動制御を行う。
【００５１】
駆動部５は、まず、通常駆動時と同様、表示パネル６のすべての維持電極１７Ｘ，１７Ｙに対してリセットパルスＲＰを印加し、全画素領域でリセット放電を行う（ステップＳ２４）。これにより、すべての画素領域に対する電荷消去または壁電荷の蓄積が行われる。
【００５２】
制御部２は、映像処理部７に制御信号Ｓｃを送出する。映像処理部７は、制御信号Ｓｃが入力されると、駆動部５に対して、全面白表示のデータ信号ＳＷを出力する。駆動部５は、データ信号Ｓｗに基づいて、全画素を発光画素として選択するように書き込みを行うアドレスパルスＡＰを生成し、次のアドレッシング時にアドレス電極１３に印加する。すなわち、通常駆動における全面白表示の場合のアドレッシングを行う（ステップＳ２５）。リセット時に電荷消去した場合には、ここで全画素領域に対してアドレス放電を行い、電荷を蓄積させる。また、リセット時に電荷を蓄積させる駆動方式の場合には、すでに全画素領域に壁電荷が蓄積されており、ここでは実質的にアドレス放電は生じない。
【００５３】
次に、駆動部５は、通常のサスティン期間と同様、すべての維持電極１７Ｘ，１７ＹにサスティンパルスＳＳを印加して全画素領域に一斉にサスティン放電を生じせしめる（ステップＳ２６）。これにより、各画素領域に電荷が均一に蓄積される。なお、このときの放電は、各画素領域に電荷を均一に蓄積するのに十分な期間維持される。
【００５４】
以上の均一化処理が終了すると、バックアップ電源３からの電源供給が停止する（ステップＳ２７）。これにより、装置２０は完全に電源供給が絶たれ、動作状態から非動作状態に入る。
【００５５】
また再び電源部１のメインスイッチを入れ、電源部１から制御部２に次のオン信号が入力されると（ステップＳ２８；Ｙ）、装置２０は動作状態に入り、通常の駆動表示（ステップＳ２２）を始めとする上述の一連の動作を繰り返す。この場合、駆動前の表示パネル６には、均一化処理によって全面に均一に電荷が蓄積されており、放電しやすさに画素領域ごとのばらつきがない状態となっている。よって、駆動開始時より、画面全体をむらなく放電させることができる。
【００５６】
このように本実施の形態によれば、非動作状態に入る前に、均一化処理として全白の画面表示を行うことで全画素領域において放電を生じさせ、電荷を均一に蓄積するようにしたので、再起動した時点の表示パネル６では、画素領域ごとの荷電状態が蓄積電荷によって均されている。よって、本実施の形態においても、均一化処理を容易かつ確実に遂行することができると共に、再起動の際、駆動開始時より画面全体をむらなく放電させることができ、表示むらを防止することができる。
【００５７】
また、本実施の形態では、制御部２の制御信号Ｓｃが入力された映像処理部７が、全白のデータ信号Ｓｗを駆動部５に入力する以外は通常の駆動表示と同様の動作によって画面を全白とする操作を行うようにしたので、均一化処理のために駆動回路を別途設ける必要がない。よって、均一化処理を行うプラズマ表示装置を、簡易な構成でコストを抑えて実現することができる。なお、本実施の形態においても、均一化処理によって各画素領域に電荷を蓄積するようにしたが、逆に全面黒表示の操作を行い、各画素領域から均等に電荷を消去するようにしてもよい。
【００５８】
［第３の実施の形態］
図１０は、本発明の第３の実施の形態に係るプラズマ表示装置の構成を示すブロック図である。このプラズマ表示装置３０は、非動作状態に入る前に均一化処理を行うと共に、動作状態に入ったときに表示パネル６を活性状態とする初期化処理を行うようになっており、第１の実施の形態のプラズマ表示装置１０にさらに初期化部８が設けられた構成となっている。よって、プラズマ表示装置１０と同様の構成要素については同一の符号を付し、その説明を適宜省略する。
【００５９】
ここでの制御部２は、第１の実施の形態に説明した制御動作に加え、電源部１からオン信号が入力されると初期化処理を行うものとし、初期化部８に動作信号を入力するようになっている。
【００６０】
初期化部８は、表示パネル６を活性状態とする初期化処理を行うものであり、ここでは、制御部２より動作信号を入力されたときにのみ駆動されるようになっている。この場合の初期化処理は、例えば、表示パネル６の各電極に通常の駆動電圧Ｖｄｓｐ　よりも高い初期化電圧Ｖｉｎｔ　を印加することで、非動作状態という比較的長期のブランクの後の最初の放電を全画素領域に対して強制的に発生させるというものである。初期化処理では、放電により、保護層（図示せず）上の不純物が取り除かれることや、プライミング粒子が供給されることによって、各画素領域の内部が活性化される。このときの初期化電圧Ｖｉｎｔ　の値は、不活性状態にある表示パネル６の全面を強制的に放電させるために必要十分な程度とし、電圧の印加時間や波形も適宜に選択されてよい。なお、初期化電圧Ｖｉｎｔを印加する電極は、例えば第１の実施の形態で均一化処理の際に均一化電圧Ｖｅｑｕ　を印加するために選ばれた電極、（１）維持電極１７Ｘ，１７Ｙまたは（２）維持電極１７Ｙとアドレス電極１３、もしくは（３）維持電極１７Ｘ，１７Ｙおよびアドレス電極１３としてよい。また、各電極に対する駆動波形も同様の交流パルスとしてよい。初期化処理もまた時間をかけると実用性に欠けるため、遅くとも数秒以内に収めることが望ましい。
【００６１】
次に、プラズマ表示装置３０の動作について図１０および図１１，図１２を参照して説明する。図１１は、装置３０の動作手順を示したフローチャートであり、図１２は、この一連の動作に対応する駆動シーケンスである。
【００６２】
当初、プラズマ表示装置３０は電源オフの状態にあり、表示パネル６が表示動作を行うことのない非動作期間が続いているものとする。そこへ電源部１のメインスイッチを入れると、電力供給が開始され、装置３０が起動する（ステップＳ３１）。
【００６３】
電源部１は、電源供給を開始すると共に、制御部２にオン信号を出力する。制御部２は、オン信号が入力されると、初期化部８に動作開始のための動作信号を入力する。初期化部８は、動作信号を受け、表示パネル６に初期化処理を施す（ステップＳ３２）。具体的には、初期化部８より表示パネル６上の所定の電極に初期化電圧Ｖｉｎｔ　を印加し、放電を発生させる。これにより、表示パネル６の内部は、電極表面の不純物が除去されたり、プライミング粒子が生成されたりして活性化され、以後、表示パネル６が円滑に駆動されるようになる。また、ここでは初期化処理をもって装置３０が動作状態に入る。
【００６４】
初期化処理の後、装置３０は通常の駆動状態に入る（ステップＳ３３）。制御部２は、直ちに表示のための駆動を行うよう駆動部５の制御を開始する。駆動部５は、表示パネル６に駆動電圧Ｖｄｓｐ　を印加して通常どおり駆動し、表示が行われる。
【００６５】
その後の装置３０の動作は、上記第１の実施の形態における装置１０と同様である。すなわち、画像表示を終了する場合に、電源部１のメインスイッチを切る（ステップＳ３４）と、電源部１は電力供給を停止すると共に制御部２にオフ信号を出力する。制御部２は、オフ信号が入力されると、装置３０が動作状態から非動作状態へ切り替わることを検知し、バックアップ電源３に電力供給開始の信号を入力すると共に、表示のための駆動制御を停止し、均一化部４に動作開始のための動作信号を入力する。動作信号が入力された均一化部４は、表示パネル６に均一化処理を行う（ステップＳ３５）。
【００６６】
均一化処理は、表示パネル６のすべての画素領域における所定の電極に均一化電圧Ｖｅｑｕ　を印加して、放電させることにより行われる。こうして、全画素領域にて一斉に放電が生じ、この放電終了後には、画素領域ごとの荷電状態が蓄積電荷によって均されている。
【００６７】
また、装置３０は、均一化処理までは動作状態にあるが、均一化処理が終了してバックアップ電源３からの電源供給が停止すると（ステップＳ３６）、完全に電源供給が絶たれ、非動作状態に入る。
【００６８】
また再び電源部１のメインスイッチを入れ、電源部１から制御部２に次のオン信号が入力されると（ステップＳ３７；Ｙ）、装置３０は動作状態に入り、初期化処理（ステップＳ３２）を始めとする上述の一連の動作を繰り返す。
【００６９】
動作状態に入ったばかりの表示パネル６には、均一化処理によって全面に均一に電荷が蓄積され、放電しやすさに画素領域ごとのばらつきがない状態となっている。本実施の形態では、この状態の表示パネル６に初期化処理を施す。これにより、駆動開始時より、画面全体をむらなく、また確実に放電させることができる。
【００７０】
なお、動作状態の最後に均一化処理を行い、全画素領域に電荷を蓄積しておくことは、次回の放電を起こしやすくする作用を有している。よって、ここでの初期化処理は、従来ほど高い電圧でなくとも放電させることができるので、初期化電圧Ｖｉｎｔを下げて放電強度を軽減することができる。さらにいえば、均一化処理の均一化電圧Ｖｅｑｕを多少高めに（例えばリセット電圧よりも高く）設定すると、初期化処理の軽減効果が強調される。
【００７１】
このように本実施の形態によれば、表示パネル６に対し、表示動作の前後それぞれに均一化処理，初期化処理を施すようにしたので、上記第１の実施の形態において説明した効果に加え、以下の効果が発揮される。すなわち、均一化処理によって非動作状態に入る前に電荷が蓄積されるため、すべての画素領域で放電が起きやすくなり、再び動作状態に入った直後に行う初期化処理の放電強度を軽減することができる。従来の初期化処理は、高圧で行わざるを得ず、表示パネルの損傷等の問題点があったが、ここでは初期化電圧Ｖｉｎｔをより低く設定することにより、表示パネル６の損傷を抑え、その劣化を大幅に緩和することができる。
【００７２】
また、ここでの均一化電圧Ｖｅｑｕは通常の駆動電圧程度で済み、さらに初期化電圧Ｖｉｎｔが抑えられるのであるから、動作期間全体からみた消費電力を低減させることも可能である。なお、本実施の形態の均一化処理は、第１の実施の形態における均一化処理と同様としたが、第２の実施の形態に倣ってもよい。
【００７３】
なお、本発明は、上記実施の形態に限定されず種々の変形実施が可能である。例えば、上記実施の形態では、均一化処理を動作状態の終了直前に行う場合についてのみ説明したが、これによって本発明の均一化処理のタイミングを限定するものではない。
【００７４】
また、上記実施の形態ではプラズマ表示装置について説明したが、本発明は、プラズマ表示装置のみに限定されず、再起動時の画像表示に停止直前の表示動作が影響を与える表示装置に適用することができる。
【００７５】
さらに、本発明に係る均一化処理を、専ら初期化処理における装置負荷を軽減する目的で適用するようにしてもよく、この場合には電子放出を利用する表示装置全般に適用が可能である。こうした表示装置では、表示動作せずに放置されている間に、表示パネル内部の荷電状態が経時的に変化する。よって、再始動時にその荷電状態を回復させるような何らかの初期化処理が有効であるが、本発明によれば、第３の実施の形態で説明したように、初期化処理に伴う弊害を軽減させることができる。この場合に適用対象となる表示装置としては、プラズマ放電を電子スイッチに利用するプラズマアドレス液晶（ＰＡＬＣ：Ｐｌａｓｍａ　Ａｄｄｒｅｓｓ　Ｌｉｑｕｉｄ　Ｃｒｙｓｔａｌ）表示装置や、電界放出表示装置（ＦＥＤ：Ｆｉｅｌｄ　Ｅｍｉｓｓｉｏｎ　Ｄｉｓｐｌａｙ），蛍光表示管（ＶＦＤ：Ｖａｃｕｕｍ　Ｆｌｕｏｒｅｓｃｅｎｔ　Ｄｉｓｐｌａｙ）等がある。
【００７６】
【発明の効果】
以上説明したように請求項１ないし請求項１１の一に記載の表示装置、または請求項１２ないし請求項２２のいずれか一に記載の駆動回路、または請求項２３ないし請求項３３のいずれか一に記載の表示装置の駆動方法によれば、表示パネルのすべての画素領域における荷電状態を均一にする均一化処理を施すようにしたので、各画素領域の荷電状態は均され、処理前の画像情報は引き継がれることがない。したがって、次の画像表示時に、前回の動作状態終了時に表示されていた画像がむらとして現れることが防止され、画面全体に表示すべき画像を適正に表示することが可能となる。
【００７７】
特に、請求項２に記載の表示装置、または請求項１３に記載の駆動回路、または請求項２４に記載の表示装置の駆動方法によれば、装置自身の状態が動作状態から非動作状態へと切り替わる場合に、非動作状態に入る前に均一化処理を施すようにしたので、非動作状態を経て画素領域に状態変化が生じた後に比べ、均一化処理を容易にしかも確実に遂行することが可能となる。
【００７８】
特に、請求項１１に記載の表示装置または請求項２２に記載の駆動回路または請求項３３に記載の表示装置の駆動方法によれば、非動作状態から動作状態に入った直後に、表示パネルのすべての画素領域を活性化させる初期化処理を施すようにしたので、均一化処理を電荷蓄積により行う場合に、再起動時に各画素領域内に残存する電荷によって初期化処理が遂行されやすくなる。したがって、この場合の初期化処理は、従来に比べて軽度の処理で済み、表示パネルに与える損傷を大幅に低減させつつも表示画素を確実に表示させるという本来の作用効果を十分に発揮することができる。すなわち、表示むら防止などの表示品質の向上と共に、表示パネルの劣化を防止し、その寿命を延ばすことが可能である。同時に、初期化処理の強度を低くすることで、従来の初期化処理を行う場合に比して、電力消費を抑制することが可能である。
【図面の簡単な説明】
【図１】本発明の第１の実施の形態に係るプラズマ表示装置の構成を示すブロック図である。
【図２】図１に示したプラズマ表示装置の動作を説明するためのフローチャートである。
【図３】図１に示したプラズマ表示装置の駆動シーケンスを表す電圧波形図である。
【図４】図３の駆動シーケンスのうち、均一化処理時に印加する駆動電圧の一例を示す波形図である。
【図５】図３の駆動シーケンスのうち、均一化処理時に印加する駆動電圧の一例を示す波形図である。
【図６】図３の駆動シーケンスのうち、均一化処理時に印加する駆動電圧の一例を示す波形図である。
【図７】本発明の第２の実施の形態に係るプラズマ表示装置の構成を示すブロック図である。
【図８】図７に示したプラズマ表示装置の動作を説明するためのフローチャートである。
【図９】図７に示したプラズマ表示装置の駆動シーケンスを示す電圧波形図である。
【図１０】本発明の第３の実施の形態に係るプラズマ表示装置の構成を示すブロック図である。
【図１１】図１０に示したプラズマ表示装置の動作を説明するためのフローチャートである。
【図１２】図１０に示したプラズマ表示装置の駆動シーケンスを示す電圧波形図である。
【図１３】従来のプラズマ表示装置の表示パネルの構成を示す斜視図である。
【図１４】図１３に示した表示パネルの電極配置を表す構成図である。
【図１５】図１３に示したプラズマ表示装置の駆動シーケンスを示す電圧波形図である。
【符号の説明】
１…電源部、２…制御部、３…バックアップ電源、４…均一化部、５…駆動部、６…表示パネル、７…映像処理部、８…初期化部、１０，２０，３０…プラズマ表示装置、Ｖｅｑｕ…均一化電圧、Ｖｄｓｐ…駆動電圧、Ｖｉｎｔ…初期化電圧。
【図１】
2004086076.tif 000003
【図２】
2004086076.tif 000004
【図３】
2004086076.tif 000005
【図４】
2004086076.tif 000006
【図５】
2004086076.tif 000007
【図６】
2004086076.tif 000008
【図７】
2004086076.tif 000009
【図８】
2004086076.tif 000010
【図９】
2004086076.tif 000011
【図１０】
2004086076.tif 000012
【図１１】
2004086076.tif 000013
【図１２】
2004086076.tif 000014
【図１３】
2004086076.tif 000015
【図１４】
2004086076.tif 000016
【図１５】
2004086076.tif 000017